(57)【特許請求の範囲】
【請求項１】
ＣＡＴＶシステムにおいて，受信チャンネルが各々異なる複数のテレビ信号を受信するために，複数の受信アンテナが接続され，複数チャンネルのテレビ信号を出力する電源入力兼出力端子に入力された第１の電源電圧で動作するヘッドエンド装置と，
第１の電源電圧より高い第２の電源電圧で動作するテレビ信号処理装置と，
当該テレビ信号処理装置から出力されるテレビ信号を幹線増幅器まで伝送するための伝送路と，
当該伝送路上に第２の電源電圧を供給するための電源供給器とを備え，
前記テレビ信号処理装置は，前記ヘッドエンド装置から出力された複数チャンネルの第１のテレビ信号を入力するための第１の入力端子と，
前記ヘッドエンド装置から出力された少なくとも第１のテレビ信号のチャンネルと一部が重なる複数チャンネルの第２のテレビ信号を入力するための第２の入力端子と，
前記第２の入力端子に入力された前記第２のテレビ信号の中から特定の受信チャンネルを選択して処理する信号処理部と，
処理された第２のテレビ信号を前記第１のテレビ信号の伝送チャンネルと異なる伝送されていないチャンネルの第３のテレビ信号に再変換する変換回路と，
前記第３のテレビ信号と第１のテレビ信号を混合して出力する電源入力兼テレビ信号出力端子と，
前記電源入力兼テレビ信号出力端子に入力された前記第２の電源電圧を前記第１の電源電圧に変換し，前記第１の入力端子から前記ヘッドエンド装置に電源供給するための電源電圧変換回路とを備えたことを特徴とするＣＡＴＶシステム。
【請求項２】
請求項１のＣＡＴＶシステムにおいて，前記電源電圧変換回路を前記テレビ信号処理装置とは別体で設けたことを特徴とするＣＡＴＶシステム。
【請求項３】
受信チャンネルが各々異なる複数のテレビ信号を受信するために，複数の受信アンテナが接続され，複数チャンネルのテレビ信号を出力する電源入力兼出力端子に入力された第１の電源電圧で動作するヘッドエンド装置と，前記ヘッドエンド装置から出力されるテレビ信号を幹線増幅器まで伝送するための伝送路と，当該伝送路上に前記第１の電源電圧より高い第２の電源電圧を供給するための電源供給器とを備えたＣＡＴＶシステムにおいて，前記電源供給器と前記ヘッドエンド装置との間の伝送路に設けられ，前記第２の電源電圧で動作するテレビ信号処理装置であって，
前記ヘッドエンド装置から出力された複数チャンネルの第１のテレビ信号を入力するための第１の入力端子と，
前記ヘッドエンド装置から出力された少なくとも第１のテレビ信号のチャンネルと一部が重なる複数チャンネルの第２のテレビ信号を入力するための第２の入力端子と，
前記第２の入力端子に入力された前記第２のテレビ信号の中から特定の受信チャンネルを選択して処理する信号処理部と，
処理された第２のテレビ信号を前記第１のテレビ信号の伝送チャンネルと異なる伝送されていないチャンネルの第３のテレビ信号に再変換する変換回路と，
前記第３のテレビ信号と第１のテレビ信号を混合して出力する電源入力兼テレビ信号出力端子と，
前記電源入力兼テレビ信号出力端子に入力された前記第２の電源電圧を前記第１の電源電圧に変換し，前記第１の入力端子から前記ヘッドエンド装置に電源供給するための電源電圧変換回路と，
を備えたことを特徴とするテレビ信号処理装置。
【発明の詳細な説明】
【０００１】
【発明の属する技術分野】
本発明は，ヘッドエンド装置と幹線増幅器の間に消費電力が大きく，かつ，テレビ電波の受信が必要な電子機器，例えばゴースト除去装置やビート除去装置を併設したようなＣＡＴＶシステムに関する。
【０００２】
【従来の技術】
従来のＣＡＴＶシステムでは，各加入者まできれいなテレビ信号を伝送するために，テレビ電波の受信状況の良い場所に受信点を設ける必要があった。ところがこのような受信状況の良い場所は，一般にはテレビ電波を送信する送信アンテナが見通せる場所であり，山間へき地や山岳地帯では山深い山頂付近に受信点を設けなければならなかった。このような場所では，受信設備（ヘッドエンド装置という）を動作させるための動作用電源電圧を確保することが難しく，一般には受信設備から出力されるテレビ信号を各加入者まで伝送するための伝送路に動作用電源電圧を重畳させていた。
【０００３】
【発明が解決しようとする課題】
しかし，従来例のＣＡＴＶシステムによると，ヘッドエンド装置と幹線増幅器の間に消費電力が大きく，かつ，テレビ電波の受信が必要な電子機器，例えばゴースト除去装置やビート除去装置を併設する場合，前記ヘッドエンド装置の直下に設ける必要があり，前記伝送路に重畳した動作用電源電圧で前記ヘッドエンド装置の他に，ゴースト除去装置やビート除去装置を動作させる必要が生じる。これを解決するためには，前記伝送路上に重畳する動作用電源の電流容量を前記ヘッドエンド装置と前記ゴースト除去装置またはビート除去装置を動作させるに十分足るように増大すればよいが，電源装置が大型化してしまうという問題点があった。また，一般的に前記ヘッドエンド装置が設置されている場所と，前記ヘッドエンド装置に電源電圧を供給する電源供給器が設置されている場所は距離が離れているため伝送路での電力ロスが大きくなり，その結果さらに電源装置が大型化することになる。
【０００４】
こうした問題点を鑑み，本発明は伝送路での電力ロスの少ないＣＡＴＶシステムを提供することを目的とする。
他の目的は，既存のＣＡＴＶシステムに増設が容易なＣＡＴＶシステムを提供することである。
他の目的は，電源装置が必要以上に大型化しないＣＡＴＶシステムを提供することである。
他の目的は，既存のヘッドエンド装置の直下に消費電力の大きい電子機器を増設しても双方の機器を十分動作させることができるＣＡＴＶシステムを提供することである。
他の目的は，ヘッドエンド装置の各種入力電源電圧に対応できるＣＡＴＶシステムを提供することである。
他の目的は，伝送路での電力ロスが少なくなるＣＡＴＶシステムの電源供給方法を提供することである。
他の目的は，必要以上に大型化しないテレビ信号処理装置を提供することである。
他の目的は，ヘッドエンドの各種入力電源電圧に対応できるようにすることである。
【０００５】
【課題を解決するための手段】
上記課題を解決するために請求項１の発明は，ＣＡＴＶシステムにおいて，受信チャンネルが各々異なる複数のテレビ信号を受信するために，複数の受信アンテナが接続され，複数チャンネルのテレビ信号を出力する電源入力兼出力端子に入力された第１の電源電圧で動作すヘッドエンド装置と，
第１の電源電圧より高い第２の電源電圧で動作するテレビ信号処理装置と，
当該テレビ信号処理装置から出力されるテレビ信号を幹線増幅器まで伝送するための伝送路と，
当該伝送路上に第２の電源電圧を供給するための電源供給器とを備え，
前記テレビ信号処理装置は，前記ヘッドエンド装置から出力された複数チャンネルの第１のテレビ信号を入力するための第１の入力端子と，
前記ヘッドエンド装置から出力された少なくとも第１のテレビ信号のチャンネルと一部が重なる複数チャンネルの第２のテレビ信号を入力するための第２の入力端子と，
前記第２の入力端子に入力された前記第２のテレビ信号の中から特定の受信チャンネルを選択して処理する信号処理部と，
処理された第２のテレビ信号を前記第１のテレビ信号の伝送チャンネルと異なる伝送されていないチャンネルの第３のテレビ信号に再変換する変換回路と，
前記第３のテレビ信号と第１のテレビ信号を混合して出力する電源入力兼テレビ信号出力端子と，
前記電源入力兼テレビ信号出力端子に入力された前記第２の電源電圧を前記第１の電源電圧に変換し，前記第１の入力端子から前記ヘッドエンド装置に電源供給するための電源電圧変換回路とを備えるよう構成される。
【０００６】
請求項２の発明は，請求項１のＣＡＴＶシステムにおいて，前記電源電圧変換回路を前記テレビ信号処理装置とは別体で設けるよう構成される。
【０００７】
請求項３の発明は，受信チャンネルが各々異なる複数のテレビ信号を受信するために，複数の受信アンテナが接続され，複数チャンネルのテレビ信号を出力する電源入力兼出力端子に入力された第１の電源電圧で動作するヘッドエンド装置と，前記ヘッドエンド装置から出力されるテレビ信号を幹線増幅器まで伝送するための伝送路と，当該伝送路上に前記第１の電源電圧より高い第２の電源電圧を供給するための電源供給器と，を備えたＣＡＴＶシステムにおいて，前記電源供給器と前記ヘッドエンド装置との間の伝送路に設けられ，前記第２の電源電圧で動作するテレビ信号処理装置に関する発明である。
そして，このテレビ信号処理装置は，請求項１に記載のものと同様，前記ヘッドエンド装置から出力された複数チャンネルの第１のテレビ信号を入力するための第１の入力端子と，前記ヘッドエンド装置から出力された少なくとも第１のテレビ信号のチャンネルと一部が重なる複数チャンネルの第２のテレビ信号を入力するための第２の入力端子と，前記第２の入力端子に入力された前記第２のテレビ信号の中から特定の受信チャンネルを選択して処理する信号処理部と，処理された第２のテレビ信号を前記第１のテレビ信号の伝送チャンネルと異なる伝送されていないチャンネルの第３のテレビ信号に再変換する変換回路と，前記第３のテレビ信号と第１のテレビ信号を混合して出力する電源入力兼テレビ信号出力端子と，前記電源入力兼テレビ信号出力端子に入力された前記第２の電源電圧を前記第１の電源電圧に変換し，前記第１の入力端子から前記ヘッドエンド装置に電源供給するための電源電圧変換回路と，を備える。
【０００８】
【発明の実施の形態】
本発明に係るＣＡＴＶシステムを図面に基づいて説明する。図１はシステムの一部を示したもので，１はヘッドエンドであり，ＶＨＦ帯域用アンテナ１ａと，ＵＨＦ帯域用アンテナ１ｂの分配器１ｃを介した一方の出力は，ヘッドアンプ２において適宜増幅されたり，周波数変換されたりした後，テレビ信号処理装置３の入力端子３ａに入力される。前記ＵＨＦアンテナ１ｂの分配器の他方の出力は，第２の伝送路１１ｂを介してテレビ信号処理装置３の入力端子３ｂに入力されるよう構成されている。
１１は伝送路，１２は電源供給器，１３，１５は電源部，１４は幹線増幅器である。
【０００９】
図２にテレビ信号処理装置３の実施例の詳細を示す。前記入力端子３ａに入力された信号は電源分離フィルター３１，パス回路３４を通過して混合器３２，電源分離フィルター３３を介して電源入力兼テレビ信号出力端子３ｃから出力される。前記電源分離フィルター３１と３３の電源入力端子３１ａと電源出力端子３３ａは電圧変換回路５を介して接続されており，前記電源入力兼テレビ信号出力端子３ｃに入力された第２の電源電圧（本実施例ではＡＣ４８Ｖ）は，前記電圧変換回路５によって第１の電源電圧（本実施例ではＡＣ３０Ｖ）に変換され，前記入力端子３ａから出力され前記ヘッドアンプ２に供給可能なように構成されている。
また，前記入力端子３ｂに入力された信号は処理装置４に入力され適宜処理された後，前記混合器３２に接続され前記入力端子３ａに入力された信号と混合され電源入力兼テレビ信号出力端子３ｃから出力される。前記処理装置４の電源は前記電源出力端子３３ａと前記電圧変換回路５の相互接続点に接続された電源部４ａから供給されるよう構成されている。
【００１０】
次に，テレビ信号処理装置３の具体的な例について説明する。例えばＶＨＦ帯と，ＵＨＦ帯がある地域であって，ＵＨＦ帯の所定のチャンネルをＶＨＦ帯に変換して伝送しているＣＡＴＶシステムにおいて，サテライト局等の影響で前記所定のチャンネルにビート妨害が出るような場合がある。このような場合，前記テレビ信号処理装置３の具体例としてビート成分除去装置を前記システムに取り入れ対策する必要が生じる。
ビート成分除去装置の処理装置４は，ビートが出るチャンネルを選局する選局部４ｂ，テレビ信号からビート成分を除去する処理を行うビート除去装置４ｃ，前記入力端子３ａから入力されたテレビ信号の伝送チャンネルとは重複しない目的のチャンネルに変換するチャンネル変換器４ｄの構成となっている。
ところが，このような既設のＣＡＴＶシステムの場合，システムを構成している電源電圧（第１の電源電圧）や電流容量が定められており，前記テレビ信号処理装置３を取り入れたときに不足する問題があり，そのままでは対策ができなくなる。
【００１１】
そこで第３の伝送路１１ｃに電源供給器１２を介在させ，当該電源供給器１２から第２の電源電圧を出力する電源部１３から電源供給するよう構成する。本願においては第１の電源電圧より第２の電源電圧の方が高くなるように設定されており，例えば，第１の電源電圧はＡＣ３０Ｖであり，第２の電源電圧はＡＣ４８Ｖである。電源部１３から送出された第２の電源電圧は，上述のように第３の伝送路１１ｃを介してテレビ信号処理装置３の電源入力兼テレビ信号出力端子３ｃに入力される。入力された第２の電源電圧は，電源分離フィルター３３の電源出力端子３３ａから電圧変換回路５に入力される。電圧変換回路５では第２の電源電圧を第１の電源電圧に変換するように構成されている。本願においては，上述のようにＡＣ４８ＶをＡＣ３０Ｖに変換する。こうして変換された第１の電源電圧は，電源入力端子３１ａから電源分離フィルター３１を介してテレビ信号処理装置５の入力端子３ａから第４の伝送路１１ｄを介して前記ヘッドエンド１に供給されるので，ヘッドエンド１は既設のものをそのまま変更することなく使用できることになる。また，前記テレビ信号処理装置３の処理装置４の電源は，前記電源出力端子３３ａと前記電圧変換回路５の相互接続点に接続された電源部４ａから供給されるよう構成されている。
【００１２】
このように第２の電源電圧を第１の電源電圧より高く設定し，且つ，前記テレビ信号処理装置３には電圧変換回路５を内蔵させ，第２の電源電圧を第１の電源電圧に変換させるようにしたので，伝送路における電力ロスを低く押えるとともに，既設のシステムにも簡単に前記テレビ信号処理装置３を取り入れることができる。
尚，テレビ信号処理装置３の他の実施例として，ゴースト除去装置が挙げられる。また，本発明は上記実施の形態に限定されるものではなく，本発明の趣旨を逸脱しない範囲で各部の構成や数値等を適宜に変更して実施することも可能である。
例えば，第２の電源電圧を４８Ｖで説明したが，伝送路の材質によりこれより高くても低くても良い。尚，高いほど電力ロスを低く出来ることは言うまでも無い。
【００１３】
【発明の効果】
以上詳述したように請求項１の発明によれば，ＣＡＴＶシステムにおいて，受信チャンネルが各々異なる複数のテレビ信号を受信するために，複数の受信アンテナが接続され，複数チャンネルのテレビ信号を出力する電源入力兼出力端子に入力された第１の電源電圧で動作すヘッドエンド装置と，
第１の電源電圧より高い第２の電源電圧で動作するテレビ信号処理装置と，
当該テレビ信号処理装置から出力されるテレビ信号を幹線増幅器まで伝送するための伝送路と，
当該伝送路上に第２の電源電圧を供給するための電源供給器とを備え，
前記テレビ信号処理装置は，前記ヘッドエンド装置から出力された複数チャンネルの第１のテレビ信号を入力するための第１の入力端子と，
前記ヘッドエンド装置から出力された少なくとも第１のテレビ信号のチャンネルと一部が重なる複数チャンネルの第２のテレビ信号を入力するための第２の入力端子と，
前記第２の入力端子に入力された前記第２のテレビ信号の中から特定の受信チャンネルを選択して処理する信号処理部と，
処理された第２のテレビ信号を前記第１のテレビ信号の伝送チャンネルと異なる伝送されていないチャンネルの第３のテレビ信号に再変換する変換回路と，
前記第３のテレビ信号と第１のテレビ信号を混合して出力する電源入力兼テレビ信号出力端子と，
前記電源入力兼テレビ信号出力端子に入力された前記第２の電源電圧を前記第１の電源電圧に変換し，前記第１の入力端子から前記ヘッドエンド装置に電源供給するための電源電圧変換回路とを備えるよう構成したので，伝送路での電力ロスの少ないＣＡＴＶシステムを提供できるとともに，既存のＣＡＴＶシステムに増設が容易なＣＡＴＶシステムを提供できる。
【００１４】
請求項２の発明によれば，請求項１のＣＡＴＶシステムにおいて，前記電源電圧変換回路を前記テレビ信号処理装置とは別体で設けるよう構成したので，ヘッドエンドの各種入力電源電圧に対応することができる。
必要以上に大型化しないテレビ信号処理装置を提供することができる。
【００１５】
請求項３に記載のテレビ信号処理装置によれば，電源入力兼テレビ信号出力端子に入力された第２の電源電圧を第１の電源電圧に変換して第１の入力端子に出力するための電源電圧変換回路が備えられているので，本発明（請求項１）のＣＡＴＶシステムを実現できる。
【図面の簡単な説明】
【図１】ＣＡＴＶシステムの要部ブロック図である。
【図２】テレビ信号処理装置のブロック図である。
【符号の説明】
１…ヘッドエンド，１ａ…ＶＨＦ帯域用アンテナ，１ｂ…ＵＨＦ帯域用アンテナ，１ｃ…分配器，２…ヘッドアンプ，３…テレビ信号処理装置，３ａ…入力端子，３ｂ…入力端子，３ｃ…電源入力兼テレビ信号出力端子，４…処理装置，４ａ…電源部，４ｂ…選局部，４ｃ…ビート除去装置，４ｄ…チャンネル変換器，５…電圧変換回路，１１ａ…第１の伝送路，１１ｂ…第２の伝送路，１１ｃ…第３の伝送路，１１ｄ…第４の伝送路，１２…電源供給器，１３…電源部，１４…幹線増幅器，１５…電源部，３１…電源分離フィルター，３１ａ…電源出力端子，３２…混合器，３３…電源分離フィルター，３３ａ…電源出力端子，３４…パス回路
【図１】
0004142888.tif 000002
【図２】
0004142888.tif 000003